(57)【要約】【課題】追記型記録層と書換型記録層が含まれた記録媒体に対して、記録領域を有効に使用する技術を提供する。【解決手段】第１処理部５０は、データを書換え可能な第１記録層と、データを１回だけ書込み可能な第２記録層とが少なくとも含まれた光ディスク１０のうち、第１記録層あるいは第２記録層にデータを書き込む。第２処理部５２は、データを書き込むべき第１記録層あるいは第２記録層に欠陥領域が存在する場合、第１記録層あるいは第２記録層の交替領域であって、かつ欠陥領域とは異なった交替領域に、欠陥領域に書き込む予定のデータを書き込む。第３処理部５４は、交替領域と欠陥領域との対応関係を記録管理情報として、第１記録層のみに書き込む。【選択図】図３
2012043482.tif 000002
【特許請求の範囲】
【請求項１】
データを書換え可能な第１記録層と、データを１回だけ書込み可能な第２記録層とが少なくとも含まれた記録媒体のうち、第１記録層あるいは第２記録層にデータを書き込む第１処理部と、
前記第１処理部がデータを書き込むべき第１記録層あるいは第２記録層に欠陥領域が存在する場合、第１記録層あるいは第２記録層の交替領域であって、かつ欠陥領域とは異なった交替領域に、欠陥領域に書き込む予定のデータを書き込む第２処理部と、
前記第２処理部がデータを書き込んだ交替領域と、欠陥領域との対応関係を記録管理情報として、第１記録層のみに書き込む第３処理部と、
を備えることを特徴とする記録装置。
【請求項２】
前記第３処理部が記録管理情報を書き込むべき第１記録層とは異なる記録層である第２記録層に、前記第１処理部が書き込むデータの著作権に関する情報を書き込む第４処理部をさらに備えることを特徴とする請求項１に記載の記録装置。
【請求項３】
第１記録層に第１のパスワードを書き込むとともに、第２記録層に第２のパスワードを書き込む第５処理部をさらに備え、
前記第５処理部において書き込まれる第２のパスワードは、第１のパスワードをもとに生成されていることを特徴とする請求項１または２に記載の記録装置。
【請求項４】
前記第１処理部がデータを書き込むべき第１記録層あるいは第２記録層についての選択指示を受けつける受付部と、
前記第１処理部は、前記受付部において選択指示を受付の場合、選択指示に応じて、第１記録層あるいは第２記録層にデータを書込み、前記受付部において選択指示を未受付の場合、第１記録層に優先的にデータを書き込むことを特徴とする請求項１から３のいずれかに記載の記録装置。
【請求項５】
データを書換え可能な第１記録層と、データを１回だけ書込み可能な第２記録層とが少なくとも含まれた記録媒体のうち、第１記録層あるいは第２記録層にデータを書き込むステップと、
データを書き込むべき第１記録層あるいは第２記録層に欠陥領域が存在する場合、第１記録層あるいは第２記録層の交替領域であって、かつ欠陥領域とは異なった交替領域に、欠陥領域に書き込む予定のデータを書き込むステップと、
交替領域と欠陥領域との対応関係を記録管理情報として、第１記録層のみに書き込むステップと、
を備えることを特徴とする記録方法。
【請求項６】
データを書換え可能な第１記録層と、
データを１回だけ書込み可能な第２記録層とを備え、
前記第１記録層および前記第２記録層は、欠陥領域が存在する場合に、欠陥領域に書き込む予定のデータを書込み可能な交替領域を含み、
前記第１記録層だけが、交替領域と欠陥領域との対応関係である記録管理情報を書込み可能な記録管理情報領域を含むことを特徴とする記録媒体。
【発明の詳細な説明】
【技術分野】
【０００１】
本発明は、記録技術に関し、データを書き込む記録装置、記録方法、記録媒体に関する。
【背景技術】
【０００２】
光ディスクは、記録媒体のひとつであり、レーザ光を用いて情報を記録する。記録可能な光ディスクは、追記型光ディスクと書換型光ディスクとに分類される。追記型光ディスクは、書換えが不可能な記録層から構成されており、書換えが不可能な記録層には、非可逆性の反応を利用した色素や無機系の化合物が使用される。例えば、ＣＤ−Ｒ(Ｃｏｍｐａｃｔ  Ｄｉｓｃ  Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）である。一方、書換型光ディスクは、１０００回以上の書換えが可能なカルコゲナイド系材料の相変化型ディスクや光磁気型ディスクであり、例えば、ＭＯ（Ｍａｇｎｅｔｏ  Ｏｐｔｉｃａｌ  Ｄｉｓｃ）、ＣＤ−ＲＷ（Ｃｏｍｐａｃｔ  Ｄｉｓｃ  ＲｅＷｒｉｔａｂｌｅ）やＤＶＤ−ＲＷ（Ｄｉｇｉｔａｌ  Ｖｅｒｓａｔｉｌｅ  Ｄｉｓｃ−ＲｅＷｒｉｔａｂｌｅ）である。追記型光ディスクにデータを記録する場合は、一般的に、別の書換型光ディスクやハードディスクドライブにデータを一旦記録した後に編集を行い、最後に追記型光ディスクに記録される。またデータの追記が可能であり、記録管理情報を書き足して利用することによって、複数回に分けて未記録部分にデータを記録する。追記型光ディスクは書き換えできないという特徴から、機密情報や信頼性が必要な情報の記録には適している（例えば、特許文献１参照）。
【先行技術文献】
【特許文献】
【０００３】
【特許文献１】特開２００８−１９２３０７号公報
【発明の概要】
【発明が解決しようとする課題】
【０００４】
書換型光ディスクの記録領域では、データを書き換えることができ、追記型光ディスクの記録領域では、データを書き換えずに保持することができる。書換型光ディスクと追記型光ディスクとが組み合わされた記録媒体を使用する場合、両方の記録領域の特性の違いを利用して、記録領域を有効に使用することが望まれる。
【０００５】
本発明はこうした状況に鑑みてなされたものであり、その目的は、追記型記録層と書換型記録層が含まれた記録媒体に対して、記録領域を有効に使用する技術を提供することである。
【課題を解決するための手段】
【０００６】
上記課題を解決するために、本発明のある態様の記録装置は、データを書換え可能な第１記録層と、データを１回だけ書込み可能な第２記録層とが少なくとも含まれた記録媒体のうち、第１記録層あるいは第２記録層にデータを書き込む第１処理部と、第１処理部がデータを書き込むべき第１記録層あるいは第２記録層に欠陥領域が存在する場合、第１記録層あるいは第２記録層の交替領域であって、かつ欠陥領域とは異なった交替領域に、欠陥領域に書き込む予定のデータを書き込む第２処理部と、第２処理部がデータを書き込んだ交替領域と、欠陥領域との対応関係を記録管理情報として、第１記録層のみに書き込む第３処理部と、を備える。
【０００７】
この態様によると、欠陥領域に書き込む予定のデータを交替領域に書き込む場合であっても記録管理情報を書換え可能な第１記録層のみに書き込むので、暫定記録管理情報領域が不要になり、記録領域を有効に使用できる。
【０００８】
第３処理部が記録管理情報を書き込むべき第１記録層とは異なる記録層である第２記録層に、第１処理部が書き込むデータの著作権に関する情報を書き込む第４処理部をさらに備えてもよい。この場合、データを１回だけ書込み可能な第２記録層に、データの著作権に関する情報を書き込むので、セキュリティを向上できる。
【０００９】
第１記録層に第１のパスワードを書き込むとともに、第２記録層に第２のパスワードを書き込む第５処理部をさらに備えてもよい。第５処理部において書き込まれる第２のパスワードは、第１のパスワードをもとに生成されていてもよい。この場合、第２のパスワードのもとになる第１のパスワードを第１記録層に記録し、第２のパスワードを第２記録層に記録するので、セキュリティを向上しながら、記録領域を有効に使用できる。
【００１０】
第１処理部がデータを書き込むべき第１記録層あるいは第２記録層についての選択指示を受けつける受付部と、第１処理部は、受付部において選択指示を受付の場合、選択指示に応じて、第１記録層あるいは第２記録層にデータを書込み、受付部において選択指示を未受付の場合、第１記録層に優先的にデータを書き込んでもよい。この場合、選択指示を受けつけない場合、将来的にデータを移動可能な第１記録層に優先的にデータを書き込むので、記録領域を有効に使用できる。
【００１１】
本発明の別の態様は、記録方法である。この方法は、データを書換え可能な第１記録層と、データを１回だけ書込み可能な第２記録層とが少なくとも含まれた記録媒体のうち、第１記録層あるいは第２記録層にデータを書き込むステップと、データを書き込むべき第１記録層あるいは第２記録層に欠陥領域が存在する場合、第１記録層あるいは第２記録層の交替領域であって、かつ欠陥領域とは異なった交替領域に、欠陥領域に書き込む予定のデータを書き込むステップと、交替領域と欠陥領域との対応関係を記録管理情報として、第１記録層のみに書き込むステップと、を備える。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、追記型記録層と書換型記録層が含まれた記録媒体に対して、記録領域を有効に使用できる。
【図面の簡単な説明】
【００１４】
【図１】本発明の比較対象になる光ディスクの構成を説明する図である。
【図２】本発明の比較対象になる別の光ディスクの構成を説明する図である。
【図３】本発明の実施例１に係る記録再生装置の構成を示す図である。
【図４】図３の光ディスクの断面を示す図である。
【図５】図３の光ディスクの構成を説明する図である。
【図６】図３の記録再生装置による記録手順を示すフローチャートである。
【図７】本発明の実施例２に係る光ディスクの断面を示す図である。
【図８】本発明の実施例２に係る光ディスクの構成を説明する図である。
【図９】本発明の実施例３に係る光ディスクの構成を説明する図である。
【図１０】本発明の実施例４に係る記録再生装置による記録手順を示すフローチャートである。
【発明を実施するための形態】
【００１５】
（実施例１）
本発明を具体的に説明する前に、まず概要を述べる。本発明の実施例は、光ディスクにデータを記録したり、光ディスクに記録されたデータを再生したりする記録再生装置に関する。ここで、光ディスクは、書換え可能な記録層と、書換え不可能な記録層を含む。記録再生装置は、書換え可能な記録層、あるいは書換え不可能な記録層にデータを書き込む際、欠陥領域が存在すれば、欠陥領域に書き込むべきデータを交替領域に書き込む。また、記録再生装置は、欠陥領域と交換領域との対応関係が示された記録管理情報を生成する。ここで、欠陥領域と交換領域とが、書換え可能な記録層に含まれているか、あるいは書換え不可能な記録層に含まれているかにかかわらず、記録再生装置は、書換え可能な記録層だけに記録管理情報を書き込む。一方、記録再生装置は、書き込んだデータの著作権などのセキュリティ情報を書換え不可能な記録層に書き込む。
【００１６】
まず、これまで使用されている書換型光ディスクと追記型光ディスクについて説明する。書換型光ディスクの書換え回数を１０００回以上確保するために、通常、相変化するカルコゲナイド記録膜に対して数ｎｍ以上の厚みをもたせる。また、未記録状態では結晶状態であり、マークの記録時に、記録レーザにて記録膜を溶融温度付近まで高温にした後、きわめて急激に冷却することによって非晶質状態にされる。それぞれの状態で再生される波長における光学特性の差、特に屈折率の変化による反射率の差によって、データが記録される。書換えにおいては、記録膜を徐冷させて結晶にすることによって、マークが消去される。記録層が３層以上の多層になると、レーザ光源から離れた奥の記録層違外は、奥の層へのレーザ光の透過をさらに高めるために、記録膜を数ｎｍ以下ときわめて薄くしなくてはならない。
【００１７】
特に、転送速度を高速にするために、記録膜の高速な溶融ならびに徐冷、すなわち急激な熱吸収及び熱拡散、つまり記録マークの記録と消去のバランスの確保が困難になる。これらに対し、光記録用のレーザ光源に最も離れた奥の記録層では、透過率が必要とされないので、記録膜の厚みを十分に確保できる。例えば、３層以上の記録層を備える多層光ディスクにおいて、レーザ光の入射面から最も奥側に配置された記録層に、情報の書換えが可能な書換型記録膜が配置される。情報の書換えが可能な書換型記録膜は、相変化記録膜を有する。一方、入射面の近くに配置された記録層に情報の書換えができない追記型記録膜が配置される。
【００１８】
ＣＤ−ＲやＤＶＤ−Ｒなどの追記型光ディスクでは、ファイルを書き込んでいる途中で書込みに失敗すると、そのディスクは使えなくなる。一方、ＢＤ−Ｒ（Ｂｌｕ−ｒａｙ  Ｄｉｓｃ  Ｒｅｃｏｒｄａｂｌｅ）では、新たに記録管理システムとしての欠陥管理システムを定義することにより、書込みに失敗が発生した場合であっても最後まで使用できる。ここでは、図１をもとにこの技術を説明する。図１は、本発明の比較対象になる光ディスクの構成を示す。ユーザデータ領域２１４は、ユーザ情報を記録する領域である。ユーザデータ領域２１４の内外周に第０ＩＳＡ（Ｉｎｎｅｒ  Ｓｐａｒｅ  Ａｒｅａ）２１２と第０ＯＳＡ（Ｏｕｔｅｒ  Ｓｐａｒｅ  Ａｒｅａ）２１６とが配置されている。第０ＩＳＡ２１２と第０ＯＳＡ２１６は、データを退避させるための交替領域である。記録機器が、ユーザデータ領域２１４にデータを記録しているときに何らかの原因で記録できない場合、当該記録機器は欠陥領域２２６に書くべきデータを第０ＩＳＡ２１２あるいは第０ＯＳＡ２１６の未使用領域の交替先２２８に記録する。
【００１９】
第０−２記録管理領域２０２、第０−１記録管理領域２０８、第０−３記録管理領域２２０、第０−４記録管理領域２２２は、ディフェクトリストもしくは記録済みリストと呼ばれる交替情報を記録する。交替情報は、交替元である欠陥領域２２６と、交替先２２８のアドレスのペアを示す。交替情報は、記録管理情報に含まれる。図示しない再生機器は、指定されたアドレスが、交替情報に登録されているかを参照して、登録されていなければ指定されたアドレスからデータを読み取る。一方、登録されていれば、再生機器は、交替情報をもとに、実際にデータが記録されたアドレスからデータを読み取る。しかしながら、ＢＤ−Ｒを代表とする追記型光ディスクは、記録済みの領域に対して情報を記録できない。
【００２０】
つまり、記録機器にて記録するたびに記録領域の登録や、欠陥領域の登録を行うためのディスクの記録管理情報を書き換えられない。これに対応するために、図１に示すように、第０−２記録管理領域２０２、第０−１記録管理領域２０８、第０−３記録管理領域２２０、第０−４記録管理領域２２２とは別の領域に、第０暫定記録管理領域２０６、第２暫定記録管理領域２１０、第３暫定記録管理領域２１８が設けられる。第０暫定記録管理領域２０６、第２暫定記録管理領域２１０、第３暫定記録管理領域２１８には、暫定的な交替情報である記録情報を管理するための暫定記録管理領域のリストが順に追記されている。その結果、ディスクのうち、ユーザ情報を記録すべき情報領域が減らされ、ユーザ情報の記録可能な量が不足することがある。記録終了後に書換型光ディスクとの互換性を高めるために、ファイナライズもしくはクロージング作業を行うときに、追記された最後の暫定記録管理領域の情報が、第０−２記録管理領域２０２、第０−１記録管理領域２０８、第０−３記録管理領域２２０、第０−４記録管理領域２２２の４ヶ所に同一内容として記録される。
【００２１】
図２は、本発明の比較対象になる別の光ディスクの構成を示す。本光ディスクは、２層構造である。Ｌ０層は、レーザ光を発して情報の読み書きを行うためのピックアップヘッドに遠い記録層に相当し、Ｌ１層は、ピックアップヘッドに近い記録層に相当する。Ｌ０層においては、内周側のリードイン３００の中に第０−１記録管理領域３０８、第０ＰＣＡ３０４、第０暫定記録管理領域３０６、第０−２記録管理領域３０２が含まれ、リードイン３００の外側の第０ＩＳＡ３１２中に第２暫定記録管理領域３１０が含まれる。外周側の第０ＯＳＡ３１６の中に第３暫定記録管理領域３１８が含まれ、第０アウタ領域３２４の中に第０−３記録管理領域３２０、第０−４記録管理領域３２２が含まれる。
【００２２】
Ｌ１層においては、外周側から第１アウタ領域３２６の中に第１−４記録管理領域３２８、第１−３記録管理領域３３０が含まれ、第１ＯＳＡ３３４の中に第４暫定記録管理領域３３２が含まれる。ユーザデータ領域３３６の内周側に第１ＩＳＡ３３８が配置されている。第１ＩＳＡ３３８の中に、第５暫定記録管理領域３４０が含まれ、さらに内周側のリードアウト３５０に第１−１記録管理領域３４２、第１ＰＣＡ３４４、第１暫定記録管理領域３４６、第１−２記録管理領域３４８が含まれている。そのため、ユーザデータ領域３１４やユーザデータ領域３３６以外の領域によって、多くのディスク領域が占有されており、ユーザ情報の記録容量が制限される。さらに、第０暫定記録管理領域３０６、第２暫定記録管理領域３１０、第３暫定記録管理領域３１８、第４暫定記録管理領域３３２、第５暫定記録管理領域３４０、第１暫定記録管理領域３４６が消尽されると、ユーザデータ領域３１４やユーザデータ領域３３６に残量があっても記録ができなくなる。
【００２３】
書換型光ディスクとの互換性を高めるために、記録終了後にファイナライズもしくはクロージング作業を行うことで第０暫定記録管理領域３０６、第２暫定記録管理領域３１０、第３暫定記録管理領域３１８、第４暫定記録管理領域３３２、第５暫定記録管理領域３４０、第１暫定記録管理領域３４６の暫定記録管理情報の最後の情報を、第０−２記録管理領域３０２、第０−１記録管理領域３０８、第０−３記録管理領域３２０、第０−４記録管理領域３２２、第１−４記録管理領域３２８、第１−３記録管理領域３３０、第１−１記録管理領域３４２、第１−２記録管理領域３４８に記録管理情報を記録する工程が必要であった。暫定記録管理領域を利用した追記型光ディスクは、ファイナライズもしくはクロージングするまで、暫定記録管理情報を１箇所にのみ記録して、ファイナライズもしくはクロージング後に８箇所の記録管理領域に同一内容の最終的な記録管理情報を記録する。その結果、ファイナライズもしくはクロージング前に暫定記録管理情報が記録されている唯一の場所にダメージが生じると、ディスクの再生ができなくなってしまう。暫定記録管理情報領域を逐次書き加え、最後に記録管理領域に記録管理情報を記録する工程が不要な書換型光ディスクでは、情報が書き換えられてしまうので、信頼性、いわゆるセキュリティが低下しやすい。
【００２４】
図３は、本発明の実施例１に係る記録再生装置１００の構成を示す。記録再生装置１００は、光ディスク１０、ＰＵＨ１２、レーザドライバ１４、マトリックス回路１６、ＲＷ回路１８、ウォブル回路２０、サーボ回路２２、変復調回路２４、アドレスデコーダ２６、制御回路２８、記憶部３０、駆動回路３２、スピンドルモータ３４、受付部３６を含む。また、制御回路２８は、第１処理部５０、第２処理部５２、第３処理部５４、第４処理部５６、第５処理部５８を含む。
【００２５】
光ディスク１０は図示しないターンテーブルに保持され、マイコンからなる制御回路２８とサーボ回路２２にて制御された駆動回路３２によって、スピンドルモータ３４とともに一定線速度で回転させられる。ここでは、光ディスク１０の構成を説明する。図４は、光ディスク１０の断面を示す。光ディスク１０は、外径１２０ｍｍ、内径１５ｍｍのＣＤと同一な円盤状の形状を有する。光ディスク１０は、厚さ１．１ｍｍのポリカーボネート樹脂からなる基板８０の片側に、図示していない０．２μｍから０．４μｍピッチのグルーブである案内溝が形成されている。また、このグルーブ面に、金属からなる反射膜と、レーザ光の熱により溶融し冷却速度の差により結晶質と非晶質に変化するカルコゲナイド系のＧｅＳｂＴｅの相変化膜と、記録膜を挟む誘電体膜からなる書換え可能なＬ０層７８とがスパッタリング法で成膜されている。
【００２６】
Ｌ０層７８の基板８０と逆側に、２５μｍのスペーサ層７６が、図示していない０．２μｍから０．４μｍピッチのグルーブである案内溝とともにＵＶ樹脂にて作成される。このスペーサ層７６のグルーブの面に、Ｌ１層７４が、５から２０ｎｍの厚みでスパッタ法にて成膜される。Ｌ１層７４は、金属からなる反射膜や熱により組成や構造が変わり光学的な屈折率が変化するＴｅＯｘから形成される。Ｌ１層７４の基板８０と逆側には、厚さ７５μｍのカバー層７２が成膜される。
【００２７】
図５は、光ディスク１０の構成を示す。Ｌ０層７８では、内周からリードイン４００、第０ＩＳＡ４０２、ユーザデータ領域４０４、第０ＯＳＡ４０６、第０アウタ領域４０８が配置されている。Ｌ１層７４は、１回だけ記録可能な追記型記録層であり、ここでは、外周から記録を始め、内周に向かって記録を行うオポジット方式を使用する。図示のごとく、外周から第１アウタ領域４１０、第１ＯＳＡ４１２、ユーザデータ領域４１４、第１ＩＳＡ４１６、リードアウト４１８が配置されている。なお、内周から外周に向けて記録するパラレル方式であってもよく、その場合には、Ｌ０層７８と同様に内周から第１リードイン、第１ＩＳＡ４１６、ユーザデータ領域４１４、第１ＯＳＡ４１２、リードアウトが配置される。Ｌ０層７８のリードイン４００は、Ｄｉｓｃ Ｉｎｆｏｒｍａｔｉｏｎ領域（以下、「ＤＩ領域」という）、ＰＣＡ（Ｐｏｗｅｒ Ｃａｌｉｂｒａｔｉｏｎ Ａｒｅａ）、記録管理領域４２４にて構成されている。
【００２８】
ＤＩ領域は、ディスク製造者によってグルーブのウォブル(うねり)などにより光ディスク１０の物理的な情報やセキュリティ情報が記録される。ＰＣＡは、記録再生装置１００にて最適な記録条件を求めるための試し書き領域である。記録管理領域４２４は、記録情報の管理情報が光ディスク１０に記録されている位置情報、欠陥情報を含む。ＤＩ領域には、Ｌ０層７８が書換え可能な記録層であることを示すフラグと、Ｌ１層７４が書換え不可能な記録層であることを示すフラグとが含まれる。なお、記録再生装置１００にて最適な記録条件を求めるためのＰＣＡは、Ｌ０層７８以外にＬ１層７４にも必要である。つまり、ＰＣＡは、各層に必要である。一方、ＤＩ領域は、Ｌ０層７８だけでもＬ１層７４にあってもどちらでもよい。また、記録管理領域４２４は、Ｌ０層７８だけに配置される。
【００２９】
交替処理は、次のように示される。ユーザデータ領域４０４に情報を記録しているとき、もしくは記録後再生を行っているとき、欠陥領域４２０が発見された場合、欠陥領域４２０に記録すべきデータは、Ｌ０層７８に含まれた第０ＩＳＡ４０２のうち、交替先４２２に記録される。この際、記録管理領域４２４には、交替元である欠陥領域４２０と交替先４２２であるアドレスのペアが記録される。また、記録管理領域４２４には、次回記録し始める場所を指定する情報も記録される。
【００３０】
図３に戻り、ＰＵＨ１２は、光ディスク１０の情報読取り面にレーザダイオード(図示せず)を発光させるとともに、図示しないスレッド機構や電磁コイルなどのアクチュエータを利用して、駆動回路３２により光ディスク１０上を半径方向に移動する。光ディスク１０から反射されたレーザは、ＰＵＨ１２内の対物レンズなどの光学系(図示せず)を経由して複数の受光部からなるフォトディテクタ(図示せず)で電気信号に変換される。マトリックス回路１６は、電気信号をもとに、和信号としてユーザ情報信号を生成し、差信号としてサーボ信号、ウォブル信号などを生成する。サーボ信号は、フォーカスエラー信号、トラッキングエラー信号を含み、ウォブル信号は、アドレス信号、ディスク情報を含む。フォーカスエラー信号によって、記録層の有無、反射率、層数が確認され、ＤＩが記録された基準の記録層にフォーカスがかけられるようにサーボ回路２２が作動し、次に、トラッキングエラー信号を利用し、エラー信号が少なくなるようなフィードバック処理によって、サーボ回路２２が作動される。
【００３１】
ウォブル回路２０は、トラッキングエラー信号をもとに、特定の周波数帯域のウォブル信号を再生する。制御回路２８と駆動回路３２は、ウォブル信号から生成されたクロック周波数にてスピンドルモータ３４の回転数を所定の回転数に制御する。アドレスデコーダ２６は、ＭＳＫ変調等によってウォブル信号に埋め込まれたアドレス情報を復調する。ＰＵＨ１２の読取り位置は、光ディスク１０の管理情報信号の記録された場所に移動され、光ディスク１０の構造や最適な記録条件などを示したＤＩが読み取られ、記憶部３０は、ディスクフォーマット、層数、記録条件、記録速度などの情報を記憶する。ディスクフォーマットは、追記型、書換型および記録可能半径もしくはアドレスに関する情報を含む。
【００３２】
記録管理情報を含む記録状態の管理情報を再生するために、制御回路２８は、記憶部３０に保存されたＤＩから光ディスク１０に適した処理法方法を特定する。アドレスデコーダ２６はアドレスを読み取り、駆動回路３２は、記録管理情報のアドレスへＰＵＨ１２を移動させる。ＲＷ回路１８は、マトリックス回路１６から出力される和信号に対して、ＰＲＭＬ等の波形等化処理を実行し、変復調回路２４は、変調信号を復調するとともに、エラー訂正、デスクランブルを実行する。記憶部３０は、その結果を記憶する。なお、記録管理情報が記録されていない場合、光ディスク１０は、未初期化のディスクと認識される。その際、初期化処理の実施後、記録管理情報を記録する必要がある。
【００３３】
ユーザ情報を再生するために、制御回路２８は、アドレスデコーダ２６を介してアドレスを読み取り、駆動回路３２にてＰＵＨ１２を移動させる。マトリックス回路１６は、和信号を出力し、ＲＷ回路１８は、ＰＲＭＬ等の波形等化処理によって和信号を２値化し、変復調回路２４は、ＲＬＬ（１−７）ｐｐ変調信号を復調するとともに、エラー訂正やデスクランブルを実行し、映像、音声、プログラム情報などのデータを出力する。
【００３４】
記録再生装置１００に光ディスク１０が挿入されると、記録再生装置１００は、光ディスク１０の種類を判別する。光ディスク１０の種類を判別するために、光ディスク１０の厚み方向にレーザ光を遥動することによって、記録層のディスク深さ方向の範囲や反射率が取得される。これらを比較することによって、記録再生装置１００は、光ディスク１０の種類をある程度判別する。その後、記録再生装置１００は、半径２２ｍｍ付近の内周部分の記録層に焦点を合わせ、バーコード状のＢＣＡ情報を読み取る。さらに、記録再生装置１００は、ＢＣＡ情報のやや外側のリードインである半径２３ｍｍ付近において光ディスク１０のグルーブ(案内溝)やエンボスピット列にトラッキングを合わせる。記録再生装置１００は、ピット情報やグルーブのウォブル情報などをもとに、ＤＩを読み取る。
【００３５】
著作権等に関する情報は、Ｌ１層７４のＢＣＡ部分およびピット情報やウォブル情報に記録されている。また、記録再生装置１００は、光ディスク１０の記録層数、対応可能な線速度、推奨される記録パワーや記録パルス列などの情報も読み取る。光ディスク１０の製造者情報が読み取られた後、記録再生装置１００は、光ディスク１０を初期化する。初期化の際には、（１）半径２３．５ｍｍと、外周のアウタ領域にある５８ｍｍ付近の２箇所以上のコントロールデータ領域において、同一な情報として、記録の有無情報、（２）記録されている場合、どこが記録され、どこから記録できるかの記録位置の管理情報、（３）光ディスク１０の欠陥の情報、（４）欠陥があった場合に交替処理による記録管理情報、（５）製造者による推奨記録パワーや記録パルス列の情報が使用される。なおＢＣＡはＬ０層７８にあっても構わない。
【００３６】
ユーザ情報の記録に先立って、光ディスク１０の記録層ごとに最適な記録条件を確認するために、ＰＣＡに試し書きを行う場合がある。その際、制御回路２８および駆動回路３２は、ＰＣＡのアドレスへＰＵＨ１２を移動させ、記憶部３０に記憶したＤＩの最適記録条件をもとに、レーザドライバ１４により記録パワーなどや記録パルスを微調整する。また、制御回路２８は、レーザドライバ１４によりＰＵＨ１２のレーザダイオードを駆動して記録を行った後に再生を実行することによって、最良な信号品位を調べる。信号品位は、例えば、ジッタ、エラー、信号振幅、信号の対象性である。その結果、最適な記録条件が導出され、記憶部３０は、最適な条件を記憶する。なお、図４や図５のごとく、光ディスク１０に複数の記録層が備えられている場合、制御回路２８は、各記録層に対応したＰＣＡに対して試し書きを行うことによって、最適記録条件を導出し、記憶部３０は、各記録層に対応した最適記録条件を記憶する。試し書き終了時には、制御回路２８は、記録したアドレスと次に試し書き可能なアドレスとの組合せを記録状態の管理情報として図３あるいは図４のＬ０層７８の記録管理領域４２４へ記録する。また、最適記録条件は、光ディスク１０の記録管理領域４２４内の図示していない最適記録条件記録領域へ記録される。
【００３７】
光ディスク１０のセキュリティ確保のために、試し書き終了後、ＰＵＨ１２は、図４あるいは図５のＬ１層７４のアウタ領域、リードアウト、リードインのうち、指定されたアドレスへ移動する。アドレスデコーダ２６は、記憶部３０に最初に記憶された機器固有のＩＤ、シリアル番号と記録再生機の時計から記録日時秒を変復調回路２４へ出力する。この出力は、ユーザの意思とは関係なく自動的になされる。ＲＷ回路１８は、レーザドライバ１４にてＰＵＨ１２のレーザダイオードを発光させ、前述の情報を光ディスク１０に自動的に記録する。不正に時間を設定しなおすことがないかぎり、この値は、同一にならず、ユニークな値となる。そのため、違法にコピーされたものかを特定することに対して有効である。従来は光ディスク１０の製造メーカによって、光ディスク１０にＢＣＡ（Ｂｕｒｓｔ Ｃｕｔ Ａｒｅａ）にて重複を生じないユニークなシリアル番号が付与されていたが、それの代替として、前述の情報が著作権管理に使用されても良い。
【００３８】
ユーザ情報信号の記録時において、制御回路２８および駆動回路３２は、記憶部３０に記憶された記録状態の管理情報を参照し、ＰＵＨ１２を記録すべきアドレスへ移動させる。変復調回路２４は、例えば、映像信号や音声信号などのユーザ情報に対して、エラー訂正コード等を付加してスクランブルを行い、ＲＬＬ（１−７）ｐｐ変調する。ＲＷ回路１８は、適正な記録に対応するパルス波形を成型し、レーザドライバ１４へ出力する。ＰＵＨ１２は、ＰＣＡで求められた適切なパワーや記録条件にてレーザダイオードを発光し、光ディスク１０のフォーカスサーボとトラッキングサーボがなされた記録層の所定のアドレス部分に熱エネルギーを加えることで記録を開始する。
【００３９】
記録終了時には、記録したアドレスと次に記録可能なアドレスは、記録状態の管理情報として、Ｌ０層７８の記録管理領域４２４に記録される。なお、記録再生装置１００から光ディスク１０を排出するまで、記憶部３０に記録したアドレスと次に記録可能なアドレスとがＬ０層７８に記憶される。記録再生装置１００から光ディスク１０を排出するまでの複数回分の記録状態の管理情報が、まとめてＬ０層７８の記録管理領域４２４へ記録されてもよい。
【００４０】
記録処理をさらに具体的に説明する。第１処理部５０は、変復調回路２４、ＲＷ回路１８、レーザドライバ１４、ＰＵＨ１２を介して、図４あるいは図５のＬ０層７８と、Ｌ１層７４とが少なくとも含まれた光ディスク１０のうち、Ｌ０層７８あるいはＬ１層７４にデータを書き込む。例えば、ユーザデータ領域４０４あるいはユーザデータ領域４１４にデータが書き込まれる。第１処理部５０は、データを書き込むべきユーザデータ領域４０４あるいはユーザデータ領域４１４に欠陥領域が存在することを検出した場合、その旨を第２処理部５２に通知する。
【００４１】
第２処理部５２は、第１処理部５０からの通知を受けつけた場合、変復調回路２４、ＲＷ回路１８、レーザドライバ１４、ＰＵＨ１２を介して、Ｌ０層７８あるいはＬ１層７４の交替領域に、欠陥領域に書き込む予定のデータを書き込む。ここで、交替領域は、欠陥領域とは異なった領域として設けられる。第３処理部５４は、第２処理部５２がデータを書き込んだ交替領域と、欠陥領域との対応関係である交換情報を記録管理情報として、Ｌ０層７８のみに書き込む。具体的には、リードイン４００あるいは第０アウタ領域４０８に記録管理情報が記録される。
【００４２】
第４処理部５６は、変復調回路２４、ＲＷ回路１８、レーザドライバ１４、ＰＵＨ１２を介して、第３処理部５４が記録管理情報を書き込むべきＬ０層７８とは異なったＬ１層７４に、第１処理部５０が書き込むデータの著作権に関する情報を書き込む。例えば、著作権情報は、リードアウト４１８に記録される。光ディスク１０に記録される情報には、一般に著作権が発生する。著作権を保護するために光ディスク１０にＩＤやパスワードを記憶させる。このＩＤやパスワードが書き換えられると、著作権の保護が不十分になる。そのため、第４処理部５６は、Ｌ１層７４のユーザデータ領域４１４ではない第１アウタ領域４１０やリードアウト４１８などに、記録管理情報、ＩＤ、パスワード等を記録する。ＩＤやパスワードの入力は任意に記録されてもよいし、ディスクを初期化するときに記録されてもよい。また、ファイナライズもしくはクロージングのときにおいて記録されてもよい。
【００４３】
記録位置を管理するための記録管理情報は、光ディスク１０の使用ごとに記録される。Ｌ０層７８においては、不要になった古い記録管理情報を書き換えることで記録管理情報による情報領域の占有が低減される。最終的に光ディスク１０の追記や書換えを禁止する場合は、ファイナライズやクロージングを実行することによって、論理的なフラグにてＬ１層７４を書き換え禁止に変更してもよい。第５処理部５８、受付部３６の説明は後述する。
【００４４】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４５】
以上の構成による記録再生装置１００の動作を説明する。図６は、記録再生装置１００による記録手順を示すフローチャートである。第１処理部５０は、Ｌ０層７８の記録管理情報を参照する（Ｓ１０）。記録可能領域であれば（Ｓ１２のＹ）、第１処理部５０は、指定領域へ記録を実行する（Ｓ１４）。第１処理部５０は、Ｌ０層７８の記録管理情報を更新する（Ｓ１６）。記録可能領域でなく（Ｓ１２のＮ）、交替領域への記録が可能であれば（Ｓ１８のＹ）、第２処理部５２は、交替領域へ記録を実行する（Ｓ２０）。第３処理部５４は、Ｌ０層７８の記録管理情報を更新する（Ｓ２２）。交替領域への記録が可能でなければ（Ｓ１８のＮ）、記録エラーとなる（Ｓ２４）。
【００４６】
本発明の実施例によれば、欠陥領域に書き込む予定のデータを交換領域に書き込む場合であっても記録管理情報を書換え可能なＬ０層のみに書き込むので、記録管理情報の更新を容易にできる。また、記録管理情報を更新する際に、暫定記録管理情報領域を不要にできる。また、暫定記録管理情報領域が不要になるので、ユーザデータ領域を拡大できる。また。ユーザデータ領域が拡大されるので、記録領域を有効に使用できる。また、データを１回だけ書込み可能なＬ１層に、データの著作権に関する情報を書き込むので、セキュリティを向上できる。また、記録管理情報をＬ０層のみに書き込み、著作権に関する情報をＬ１層に書き込むので、記録領域の有効使用とセキュリティの向上とを両立できる。
【００４７】
（実施例２）
実施例１に係る光ディスクは、Ｌ０層とＬ１層の２層にて形成されている。一方、実施例２に係る光ディスクは、Ｌ０層からＬ２層の３層にて形成される。ここで、Ｌ０層が、書換え可能な記録層であり、Ｌ２層が、書換え不可能な記録層である。これらは、実施例１のＬ０層とＬ１層とにそれぞれ対応する。また、実施例２のＬ１層は、書換え可能な記録層、あるいは書換え不可能な記録層である。このように、本発明は、複数の記録層に対応可能である。実施例２に係る記録再生装置１００は、図３と同様のタイプである。ここでは、説明を省略する。
【００４８】
図７は、本発明の実施例２に係る光ディスク１０の断面を示す。光ディスク１０は、外径１２０ｍｍ、内径１５ｍｍのＣＤと同一な円盤状の形状を有する。光ディスク１０は、厚み１．１ｍｍのポリカーボネート樹脂からなる基板１２４の片側に、図示していない０．２μｍから０．４μｍピッチのグルーブである案内溝が形成されている。また、このグルーブ面に、金属からなる反射膜と、レーザ光の熱により溶融し冷却速度の差により結晶質と非晶質に変化するカルコゲナイド系のＧｅＳｂＴｅの相変化膜と、記録膜を挟む誘電体膜からなる書換え可能なＬ０層１２２がスパッタリング法で成膜されている。
【００４９】
Ｌ０層１２２の基板１２４と逆側に、２５μｍのスペーサ層１２０が、図示していない０．２μｍから０．４μｍピッチのグルーブである案内溝とともにＵＶ樹脂にて作成される。このスペーサ層１２０のグルーブの面に、金属からなる反射膜と、レーザ光の熱により溶融し冷却速度の差により結晶質と、非晶質に変化するカルコゲナイド系のＧｅＳｂＴｅの相変化膜と、記録膜を挟む誘電体膜からなる書換え可能なＬ１層１１８がスパッタリング法で成膜されている。Ｌ１層１１８の厚さは、Ｌ０層１２２の厚さよりも薄くされている。Ｌ０層１２２へレーザ光が透過するようにするためである。
【００５０】
Ｌ１層１１８のスペーサ層１２０と逆側に、２０μｍのスペーサ層１１６が、図示していない０．２μｍから０．４μｍピッチのグルーブである案内溝とともにＵＶ樹脂にて作成される。スペーサ層１１６のグルーブの面に、Ｌ０層１２２およびＬ１層１１８にレーザ光が透過するように、熱により組成や構造が変わり光学的な屈折率が変化するＴｅＯｘからなるＬ２層１１４が、５から２０ｎｍの厚みでスパッタ法にて成膜される。Ｌ２層１１４のスペーサ層１１６と逆側には、厚さ５５μｍのカバー層１１２が成膜される。
【００５１】
図８は、本発明の実施例２に係る光ディスク１０の構成を示す。Ｌ０層１２２は、ＰＵＨ１２およびレーザ光１１０から最も遠く、かつ書換え可能な記録層である。内周からリードイン５０２、第０ＩＳＡ５０４、ユーザデータ領域５０６、第０ＯＳＡ５０８、第０アウタ領域５１２が配置される。Ｌ２層１１４は、ＰＵＨ１２およびレーザ光１１０から最も近く、かつ書換えが不可能な記録層である。内周から第２インナ領域５２４、第２ＩＳＡ５２６、ユーザデータ領域５２８、第２ＯＳＡ５３０、リードアウト５３２が配置されている。Ｌ１層１１８は、Ｌ０層１２２とＬ２層１１４とに挟まれている。Ｌ１層１１８は、書換えが不可能な記録層であってもよく、書換えが可能な記録層であってもよい。
【００５２】
外周から第１アウタ領域５１４、第１ＯＳＡ５１６、ユーザデータ領域５１８、第１ＩＳＡ５２０、第１インナ領域５２２が配置されている。記録再生装置１００にて最適な記録条件を求めるためのＰＣＡはＬ０層１２２、Ｌ１層１１８、Ｌ２層１１４のそれぞれに必要であり、ＤＩ情報はＬ０層１２２だけにあってもよく、Ｌ１層１１８、Ｌ２層１１４にあってもよい。Ｌ１層１１８が、書換えが不可能な記録層である場合、Ｌ０層１２２だけに、記録管理領域５００、記録管理領域５１０が設けられる。一方、Ｌ１層１１８が、書換えが可能な記録層である場合、Ｌ０層１２２だけに、記録管理領域５００、記録管理領域５１０が設けられてもよく、Ｌ０層１２２とＬ１層１１８の両方、Ｌ１層１１８だけに設けられてもよい。
【００５３】
本発明の実施例によれば、光ディスクが３つ以上の記録層で構成されていても、記録領域を有効に使用できる。また、光ディスクが３つ以上の記録層で構成されていても、セキュリティを向上できる。また、光ディスクが３つ以上の記録層で構成されていても、記録領域の有効使用とセキュリティの向上とを両立できる。
【００５４】
（実施例３）
実施例３に係る光ディスクは、実施例１と同様に、Ｌ０層とＬ１層の２層にて形成されている。実施例３に係る光ディスクでは、書換え可能なＬ０層７８には、第１の暗証番号が記録され、書換えが不可能なＬ１層７４には、第２の暗証番号が記録される。暗証番号とは、例えば、パスワードである。ここでは、光ディスクに情報を記録する際、情報が一時的なものであるか、書き換えられては困るものかが選択され、選択に応じて、Ｌ０層あるいはＬ１層に情報を記憶することを目的とする。特に、一時的なパスワードであって、かつ将来的に更新されるパスワードは、書換えが可能なＬ０層７８に記録され、更新予定のないパスワードであって、かつ書き換えられては困るパスワードは、書換え不可能なＬ１層７４に記録される。実施例３に係る記録再生装置１００は、図３と同様のタイプである。ここでは、差異を中心に説明する。なお、実施例３に係る光ディスクは、実施例２と同様に、３つ以上の記録層にて形成されていてもよい。
【００５５】
第５処理部５８は、変復調回路２４、ＲＷ回路１８、レーザドライバ１４、ＰＵＨ１２を介して、Ｌ１層７４に第２のパスワードを書き込むとともに、Ｌ０層７８に第１のパスワードを書き込む。図９は、本発明の実施例３に係る光ディスク１０の構成を示す。例えば、個人情報などセキュリティが必要な情報、第２パスワード６０２は、書換え不可能なＬ１層７４の記録管理情報領域に記録される。そのため、セキュリティを確保することが可能になる。また、変更可能な第１パスワード６００は、書換え可能なＬ０層７８に記録される。その結果、セキュリティの確保がさらに可能になる。第１パスワード６００は、第２パスワード６０２の暗号化の数式やルールに対応する。ルールとは、例えば、ハッシュ関数などの暗号化関数である。つまり、図３の第５処理部５８において書き込まれる第２のパスワードは、第１のパスワードをもとに生成されている。また、第１パスワード６００は、光ディスク１０の製造者によるユニークＩＤ情報を含んだＢＣＡであってもよい。
【００５６】
なお、Ｌ０層７８には、第１パスワード６００および第２パスワード６０２を暗号解読鍵として暗号化を施した情報が記録されてもよい。また。第２パスワード６０２、Ｌ０層７８に記憶された別の第３のパスワード、第１パスワード６００のいずれかを変更することによって、ファイナライズや、ファイナライズの解除が可能になってもよい。セキュリティのレベルとして、光ディスク１０全体の書込み禁止、光ディスク１０全体の書換え禁止、特定ファイルの書換え禁止、光ディスク１０全体の再生禁止、特定ファイルの再生禁止、特定ファイルの表示の禁止などのように、さまざまなレベルが設定される。また、レベル特定のフラグが記録される。ロバストネスを考慮し、複数個所に同一のセキュリティ情報やレベル特定のフラグを記録してもよい。また、パスワードを暗号化したり、データをスクランブルしたり、エラー検出コード、エラー訂正コードを追加したりすることによって、セキュリティや信頼性がさらに高められてもよい。
【００５７】
本発明の実施例によれば、第２のパスワードをＬ１層に記録するので、第２のパスワードの書換えを防止できる。また、第２のパスワードの書換えが防止されるので、セキュリティを向上できる。また、更新されうる第１のパスワードをＬ０層に記録するので、古い第１のパスワードを消去し、新しい第１のパスワードを記録できる。また、古い第１のパスワードが消去され、新しい第１のパスワードが記録されるので、記録領域を有効に使用できる。また、第１のパスワードをＬ０層に記録し、第２のパスワードをＬ１層に記録するので、セキュリティを向上しながら、記録領域を有効に使用できる。
【００５８】
（実施例４）
実施例４に係る光ディスクは、これまでと同様に、書換え可能な記録層と、書換え不可能な記録層を含む。実施例４では、データの記録対象となる記録層の選択に関する。記録再生装置は、ユーザからの指示をもとに、書換え可能な記録層と書換え不可能な記録層とのうち、一方を選択する。また、記録再生装置は、ユーザからの指示がない場合、書換え可能な記録層と、書換え不可能な記録層とのうち、前者を優先してデータを記録する。実施例４に係る記録再生装置１００は、図３と同様のタイプである。ここでは、差異を中心に説明する。
【００５９】
受付部３６は、ボタン等のユーザ・インタフェースを備えており、ユーザからの指示を受けつける。ユーザからの指示は、例えば、光ディスク１０に記録すべきデータが永久保存であるか否かである。データが永久保存であるか否かによって、Ｌ０層７８にデータを書き込むか、Ｌ１層７４にデータを書き込むかが変わる。そのため、選択の指示は、第１処理部５０がデータを書き込むべきＬ０層７８あるいはＬ１層７４についての選択指示といえる。受付部３６は、受けつけた選択指示を第１処理部５０へ出力する。
【００６０】
第１処理部５０は、受付部３６からの選択指示を受けつけた場合、選択指示に応じて、Ｌ０層７８あるいはＬ１層７４にデータを書き込むことを決定する。例えば、選択指示が、永久保存である場合、第１処理部５０は、Ｌ１層７４にデータを書き込む。一方、選択指示が永久保存でない場合、第１処理部５０は、Ｌ０層７８にデータを書き込む。つまり、Ｌ０層７８とＬ１層７４とがデータを記録する際に選択される。Ｌ０層７８とＬ１層７４とのごとく、書換え可能な記録層と書換え不可能な記録層に関する情報は、光ディスク１０のＤＩに記録されている。
【００６１】
ここで、各記録層には、リードイン、アウタ領域あるいはリードアウトが配置され、その中に、各記録層に対する記録層の種類のフラグがある。ＰＵＨ１２は、そのフラグを読み取り、第１処理部５０は、フラグをもとに記録層を選択する。なお、永久保存の代わりに、「長期保存」が選択されてもよく、永久保存が選択されない場合に、「一時保存」、「とりあえず記録」が選択されてもよい。
【００６２】
第１処理部５０は、受付部３６において選択指示を未受付の場合、Ｌ０層７８に優先的にデータを書き込む。つまり、選択指示がなければ、書換え可能な記録層に、データがまず記録される。第１処理部５０は、Ｌ０層７８の記録容量が不足した場合、Ｌ０層７８に既に書き込んだデータをＬ１層７４へ移動させる。なお、受付部３６において選択指示を未受付の場合であっても、Ｌ０層７８の記録残量の確認を行い、Ｌ０層７８のみでは記録できない情報量の場合、第１処理部５０は、Ｌ０層７８での記録に引き続いて、Ｌ１層７４での記録を実行してもよい。その結果、光ディスク１０が有効に使用される。
【００６３】
なお、書換え不可能な記録層は、書換え可能な記録層に対して連続した物理アドレスや連続した論理アドレスを有していても、それらが独立していてもよいが、自動的に引き継ぐ場合は、連続している方が望ましい。論理的に独立している場合であっても、記録管理情報は書換えが可能な記録層のみに記録されていることが望ましい。また、記録管理情報は、記録可能な記録層に記録されていても、書換え記録可能な記録層と書換え不可能な記録層との両方に記録されていてもよい。さらに、ファイナライズ、クロージング後に書換可能な記録層に記録されている記録管理情報が、記録可能な記録層にも書き加えられても良い。
【００６４】
図１０は、本発明の実施例４に係る記録再生装置１００による記録手順を示すフローチャートである。第１処理部５０は、Ｌ０層７８に記録された記録管理情報を読み込む（Ｓ４０）。受付部３６において受けつけた記録モードが永久保存である場合（Ｓ４２のＹ）、第１処理部５０は、Ｌ１層７４にデータを記録し（Ｓ４４）、Ｌ０層７８に記録管理情報を記録する（Ｓ４６）。受付部３６において受けつけた記録モードが永久保存でない場合（Ｓ４２のＮ）、Ｌ０層７８の残量が十分であれば（Ｓ４８のＹ）、第１処理部５０は、Ｌ０層７８にデータを記録し（Ｓ５０）、Ｌ０層７８に記録管理情報を記録する（Ｓ５２）。ここで、受付部３６において受けつけた記録モードが永久保存でない場合には、受付部３６が記録モードの選択指示を受けつけない場合を含む。Ｌ０層７８の残量が十分でない場合（Ｓ４８のＮ）、Ｌ１層７４の残量が十分であれば（Ｓ５４のＹ）、第１処理部５０は、Ｌ１層７４にデータを記録し（Ｓ５６）、Ｌ０層７８に記録管理情報を記録する（Ｓ５８）。Ｌ１層７４の残量が十分でなければ（Ｓ５４のＮ）、記録エラーになる（Ｓ６０）。
【００６５】
本発明の実施例によれば、選択指示に応じてＬ０層あるいはＬ１層にデータを記録するので、ユーザの意志を反映できる。また、選択指示を受けつけない場合、Ｌ０層に優先的にデータを書き込むので、データの将来的に移動を可能にできる。また、データが将来的に移動されるので、Ｌ０層の記録領域が不足しても、Ｌ０層の記録領域を確保できる。また、Ｌ０層の記録領域が確保されるので、記録領域を有効に使用できる。
【００６６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６７】
実施例１から４の任意の組合せも有効である。本変形例によれば、実施例１から４の任意の組合せによる効果が得られる。
【００６８】
本発明の実施例において、記録媒体として、光ディスク１０が示されている。しかしながらこれに限らず例えば、記録媒体として、ハードディスクに代表される磁気記録媒体、ＵＳＢメモリ、ＳＤメモリやＳＳＤなどの半導体記録媒体、およびネットワークを介した記録媒体であってもよい。本変形例によれば、本発明の適用範囲を拡大できる。
【符号の説明】
【００６９】
１０  光ディスク、  １２  ＰＵＨ、  １４  レーザドライバ、  １６  マトリックス回路、  １８  ＲＷ回路、  ２０  ウォブル回路、  ２２  サーボ回路、  ２４  変復調回路、  ２６  アドレスデコーダ、  ２８  制御回路、  ３０  記憶部、  ３２  駆動回路、  ３４  スピンドルモータ、  ３６  受付部、  ５０  第１処理部、  ５２  第２処理部、  ５４  第３処理部、  ５６  第４処理部、  ５８  第５処理部、  １００  記録再生装置。
【図１】
2012043482.tif 000003
【図２】
2012043482.tif 000004
【図３】
2012043482.tif 000005
【図４】
2012043482.tif 000006
【図５】
2012043482.tif 000007
【図６】
2012043482.tif 000008
【図７】
2012043482.tif 000009
【図８】
2012043482.tif 000010
【図９】
2012043482.tif 000011
【図１０】
2012043482.tif 000012